(57)【要約】【課題】配線の間違い等による故障の発生を抑制する。【解決手段】極性切替部１３は過電流保護回路１３４を内蔵している。そして、出力端子１３２，１３３から出力される電流が上限値を越えた場合、過電流保護回路１３４からコントローラ１３１に停止信号を出力する。コントローラ１３１は、前記停止信号を受け取ると、Ｈブリッジ回路１３０の全ての電界効果トランジスタをオフして出力電流の供給を停止する。その結果、スイッチ装置１に過大な電流が継続して流れないので、配線の間違い等によるスイッチ装置１の故障の発生を抑制することができる。【選択図】        図２
2015230879.tif 000002
【特許請求の範囲】
【請求項１】
電源から負荷への給電路を開閉するリモコンリレーを制御するスイッチ装置であって、
前記リモコンリレーの駆動用の電力を作成する電源部と、前記電源部で作成される前記電力を前記リモコンリレーに供給する給電部と、操作入力を受け付ける操作部と、前記操作部が受け付ける前記操作入力に対応して、前記給電部による前記電力の供給を制御する制御部とを備え、
前記給電部は、出力電流が所定の上限値を超えると、出力電流の供給を停止するように構成されることを特徴とするスイッチ装置。
【請求項２】
電源から負荷への給電路を開閉するリモコンリレーと、請求項１のスイッチ装置とを有することを特徴とする負荷制御システム。
【発明の詳細な説明】
【技術分野】
【０００１】
本発明は、スイッチ装置、及び当該スイッチ装置を用いて照明負荷などを制御する負荷制御システムに関する。
【背景技術】
【０００２】
従来例として、特許文献１記載のスイッチ装置を例示する。この従来例は、電力線を介した負荷への電力の供給および遮断を切り替えるように構成され、壁に埋め込まれるスイッチボックス内に取り付けられる。
【０００３】
また、この従来例は、リレーユニットと、リレーユニットを制御する制御回路とを備える。リレーユニットは、電磁リレーおよび半導体リレーを有している。メカニカルリレーとしての電磁リレーは、接点および励磁コイルからなる。接点は、電力線において片切のメーク接点として設けられている。励磁コイルは、負荷（照明器具）と並列に設けられている。
【０００４】
半導体リレーは、開閉部および駆動部からなる。開閉部は、受光型の半導体素子を含んでおり、駆動部からの光の有無によりＯＮ／ＯＦＦする。駆動部は、発光型の半導体素子を含んでおり、制御回路から与えられるＯＮ／ＯＦＦ制御信号に基づいて発光／発光停止する。
【０００５】
すなわち、特許文献１記載の従来例では、タッチパネルなどのスイッチ部が操作されると、制御回路が半導体リレーを制御して電磁リレーを駆動し、電力線を介した照明器具への電力供給を入切する。
【先行技術文献】
【特許文献】
【０００６】
【特許文献１】特開２０１２−１７４５１３号公報
【発明の概要】
【発明が解決しようとする課題】
【０００７】
ところで、特許文献１記載の従来例では、電磁リレーの励磁コイルが、半導体リレーを介して負荷と同じ電源に接続されているので、配線の間違い（作業ミス）が生じ難い。しかしながら、励磁コイルが別の電源と接続される構成の場合、配線の間違いが生じる虞がある。そして、配線の間違いが生じた場合、励磁コイルに電流を流す経路に過大な電流が流れてしまい、スイッチ装置が故障する可能性がある。
【０００８】
本発明は、上記課題に鑑みて為された発明であり、配線の間違い等による故障の発生を抑制することを目的とする。
【課題を解決するための手段】
【０００９】
本発明のスイッチ装置は、電源から負荷への給電路を開閉するリモコンリレーを制御するスイッチ装置であって、前記リモコンリレーの駆動用の電力を作成する電源部と、前記電源部で作成される前記電力を前記リモコンリレーに供給する給電部と、操作入力を受け付ける操作部と、前記操作部が受け付ける前記操作入力に対応して、前記給電部による前記電力の供給を制御する制御部とを備え、前記給電部は、出力電流が所定の上限値を超えると、出力電流の供給を停止するように構成されることを特徴とする。
【００１０】
本発明の負荷制御システムは、電源から負荷への給電路を開閉するリモコンリレーと、請求項１のスイッチ装置とを有することを特徴とする。
【発明の効果】
【００１１】
本発明のスイッチ装置及び負荷制御システムは、配線の間違い等による故障の発生を抑制することができるという効果がある。
【図面の簡単な説明】
【００１２】
【図１】本発明に係るスイッチ装置の実施形態を示すブロック図である。
【図２】同上における給電部の回路構成図である。
【図３】同上の外観斜視図である。
【図４】同上の操作ハンドルを外した状態の外観斜視図である。
【図５】同上の動作説明用のタイミングチャートである。
【図６】本発明に係る負荷制御システムの実施形態を示すシステム構成図である。
【発明を実施するための形態】
【００１３】
以下、本発明に係るスイッチ装置の実施形態、並びに本発明に係る負荷制御システムの実施形態について、図面を参照して詳細に説明する。なお、本実施形態では、負荷として照明負荷を例示するが、負荷の種類は照明負荷に限定されない。
【００１４】
本実施形態の負荷制御システムは、図６に示すように、スイッチ装置１と、３つのリモコンリレー２（２Ａ，２Ｂ，２Ｃ）とを有する。ただし、以下の説明では、３つのリモコンリレーを区別する場合に「２Ａ」、「２Ｂ」、「２Ｃ」の符号を付し、３つのリモコンリレーを区別しない場合は「２」の符号を付している。同様に、３つの照明負荷を区別する場合に「４Ａ」、「４Ｂ」、「４Ｃ」の符号を付し、３つの照明負荷を区別しない場合は「４」の符号を付している。
【００１５】
リモコンリレー２は従来周知であって、主接点２０、リレー巻線２１、補助接点２２、ダイオード２３，２４などで構成される。主接点２０は、電源（交流電源３）から照明負荷４への給電路に挿入される。リレー巻線２１の一端に補助接点２２の共通端子が接続される。なお、リレー巻線２１の他端は一方の信号端子に接続される。
【００１６】
補助接点２２の一方の切換端子にダイオード２３のアノードが接続され、補助接点２２の他方の切換端子にダイオード２４のカソードが接続される。補助接点２２は、主接点２０と連動するように構成され、例えば、主接点２０が開状態（図６参照）のときは共通端子がダイオード２３側の切換端子に接続され、主接点２０が閉状態のときは共通端子がダイオード２４側の切換端子に接続される。なお、ダイオード２３のカソードとダイオード２４のアノードが他方の信号端子に接続される。また、図示は省略しているが、一方のダイオード２３のアノード−カソード間にコンデンサと抵抗の直列回路（微分回路）が挿入される。
【００１７】
信号端子間に直流電圧が印加されると、一方の信号端子→リレー巻線２１→補助接点２２→ダイオード２３→他方の信号端子の経路で励磁電流が流れるので、主接点２０が開状態から閉状態に切り替わる（オンする）。主接点２０がオンすると、主接点２０に連動して補助接点２２がダイオード２４側に切り替わるので、リレー巻線２１に励磁電流が流れなくなる。ただし、リモコンリレー２は永久磁石を有するラッチング型のリレーであるから、励磁電流が停止した後も主接点２０が閉状態に維持される。
【００１８】
また、信号端子間に逆極性の直流電圧が印加されると、他方の信号端子→ダイオード２４→補助接点２２→リレー巻線２１→一方の信号端子の経路で励磁電流が流れるので、主接点２０が閉状態から開状態に切り替わる（オフする）。主接点２０がオフすると、主接点２０に連動して補助接点２２がダイオード２３側に切り替わるので、リレー巻線２１に励磁電流が流れなくなる。ただし、励磁電流が停止した後も主接点２０は開状態に維持される。
【００１９】
リモコンリレー２（の主接点２０）がオンすると、交流電源３からリモコンリレー２を介して照明負荷４に交流電力が供給されて照明負荷４がオン（点灯）する。また、リモコンリレー２（の主接点２０）がオフすると、交流電源３からリモコンリレー２を介して照明負荷４に交流電力が供給されなくなり、照明負荷４がオフ（消灯）する。ただし、本実施形態の負荷制御システムでは、交流電源３から照明負荷４Ａ、４Ｂ、４Ｃへの各給電路に、リモコンリレー２Ａ、２Ｂ、２Ｃとは別にスイッチ５Ａ、５Ｂ、５Ｃが挿入されている。これらのスイッチ５Ａ、５Ｂ、５Ｃは、例えば、壁に埋込配設される壁スイッチであって、操作ハンドル（図示せず）が操作される毎に接点を開閉するように構成される。つまり、リモコンリレー２がオン状態のとき、スイッチ５Ａ、５Ｂ、５Ｃが操作されることで各照明負荷４Ａ、４Ｂ、4Ｃが個別にオン・オフされる。また、スイッチ５Ａ、５Ｂ、５Ｃの接点が閉じているとき、リモコンリレー２のオン・オフに応じて照明負荷４がオン・オフする。
【００２０】
次に、本実施形態のスイッチ装置１について説明する。
【００２１】
本実施形態のスイッチ装置１は、図１に示すように、制御部１０、操作部１１、給電部１２、電源部１５、定電圧回路１６、表示部１７などを備える。
【００２２】
制御部１０は、マイクロコントローラ（例えば、Microchip Technology Inc.製  PIC16F1503など）と、マイクロコントローラで実行されるプログラムとで構成されることが好ましい。
【００２３】
電源部１５は、交流電源３から供給される交流電力（例えば、実効値が１００〜１２０ボルトの交流電力）を直流電力（例えば、２４ボルトの直流電力）に変換するように構成される。このような電源部１５は、例えば、従来周知である絶縁型のスイッチング電源回路で実現される。
【００２４】
定電圧回路１６は、電源部１５の出力電圧（２４ボルトの直流電圧）を、低電圧（例えば、５ボルト）の直流電圧に降圧し且つ安定化するように構成される。このような定電圧回路１６は、例えば、従来周知である降圧チョッパ回路と３端子レギュレータとで実現される。なお、以下の説明では、定電圧回路１６の出力電圧を制御電圧と呼ぶ。制御電圧は、制御部１０の電源端子（図示せず）に入力される。
【００２５】
操作部１１は、モーメンタリ型の押釦スイッチ（図示せず）からなり、両端に制御電圧が印加され、高電位側の一端が制御部１０の入力ポートの１つに接続される。すなわち、制御部１０の入力ポートは、操作部１１が操作されていないときにハイレベル（制御電圧）となり、操作部１１が操作されているときにローレベルとなる。故に、制御部１０は、前記入力ポートがローレベルとなることで操作部１１から操作信号を受け取る。
【００２６】
表示部１７は、例えば、発光色が赤色である赤色発光ダイオード（赤色ＬＥＤ）と、発光色が緑色である緑色発光ダイオード（緑色ＬＥＤ）とを有する（図示せず）。赤色ＬＥＤは、カソードが制御部１０の出力ポートの１つに接続され、アノードに制御電圧が印加される。また、緑色ＬＥＤは、カソードが制御部１０の出力ポートの他の１つに接続され、アノードに制御電圧が印加される。すなわち、表示部１７の赤色ＬＥＤと緑色ＬＥＤは、制御部１０によって各別にオン・オフ（点灯・消灯）される。
【００２７】
給電部１２は、極性切替部１３とトリガ部１４とで構成される。極性切替部１３は、図２に示すように、ＨブリッジドライバＩＣ（例えば、ローム社製のBD6231など）で構成されることが好ましい。このＨブリッジドライバＩＣは、４つの電界効果トランジスタからなるＨブリッジ回路１３０と、Ｈブリッジ回路１３０を制御するコントローラ１３１とを有する。Ｈブリッジ回路１３０には、電源部１５の出力電圧（２４ボルトの直流電圧）が入力される。Ｈブリッジ回路１３０（極性切替部１３）の２つの出力端子１３２，１３３のうち、一方の出力端子１３２がリモコンリレー２のリレー巻線２１側の信号端子に接続され、他方の出力端子１３３がトリガ部１４に接続される。コントローラ１３１は、制御部１０の２つの出力ポートから出力される制御信号に応じて、Ｈブリッジ回路１３０を駆動するように構成される。すなわち、コントローラ１３１は、制御部１０の一方の出力ポートから制御信号が出力された場合、トリガ部１４に接続されている側の出力端子１３３が高電位となる極性（向き）で、電源部１５の出力電圧を印加するようにＨブリッジ回路１３０を駆動する。また、コントローラ１３１は、制御部１０の他方の出力ポートから制御信号が出力された場合、リモコンリレー２に接続されている側の出力端子１３２が高電位となる極性（向き）で、電源部１５の出力電圧を印加するようにＨブリッジ回路１３０を駆動する。
【００２８】
トリガ部１４は、図２に示すように、複数（図示例では３つ）のフォトトライアックカプラ１４Ａ、１４Ｂ、１４Ｃで構成される。フォトトライアックカプラ１４Ａ、１４Ｂ、１４Ｃは、発光素子（ＬＥＤ）１４０と、フォトトライアック１４１とを有する。発光素子１４０の正極（アノード）に制御電圧が印加され、発光素子１４０の負極（カソード）がそれぞれ制御部１０の異なる３つの出力ポートと各別に接続される。すなわち、各フォトトライアックカプラ１４Ａ、１４Ｂ、１４Ｃは、制御部１０の各出力ポートがローレベルになると、発光素子１４０が発光し、フォトトライアック１４１がトリガされてオンする。そして、フォトトライアック１４１がオンしている間、極性切替部１３によって切り替えられている極性（向き）で、電源部１５からリモコンリレー２に励磁電流が供給可能となる。
【００２９】
次に、スイッチ装置１の外観及び構造について、図３と図４を参照して説明する。
【００３０】
本実施形態のスイッチ装置１は、取付枠２００に取り付けられた状態で造営材（例えば、壁）に埋込配設される。
【００３１】
取付枠２００は、例えば、日本工業規格で規格化されているワイドハンドル形スイッチ専用取付枠である。取付枠２００の中央に矩形の窓孔（図示せず）が開口し、この窓孔内にスイッチ装置１の本体１００が嵌め込まれる。窓孔の左右両側に在る側壁には、２個で１組の嵌合孔２０１が長手方向に沿ってそれぞれ３組ずつ設けられている。また、窓孔の上下両側には、取付片２０２がそれぞれ設けられている。各取付片２０２には、ボックスねじが挿通される長孔２０３が中央に設けられ、長孔２０３の左右両側に円形のねじ挿通孔２０４がそれぞれ設けられている。このような取付枠２００は従来周知であって、壁に埋め込まれたスイッチボックスにボックスねじで固定されるか、あるいは、挟み金具（図示せず）を用いて壁板（石膏ボードなど）に固定される。
【００３２】
スイッチ装置１は、矩形箱形の合成樹脂成形体からなる本体１００と、本体１００の前面に揺動可能に取り付けられる操作ハンドル１１０とで構成される。本体１００内には、複数枚のプリント配線板（図示せず）や複数個の速結端子（ねじなし端子）などが収納される。これらのプリント配線板には、図１及び図２に示した制御部１０や操作部１１、給電部１２などを構成する回路部品（マイクロコントローラやＨブリッジドライバＩＣなど）が実装されている。また、最前列のプリント配線板における左端部には、表示部１７（赤色ＬＥＤと緑色ＬＥＤ）が実装されている。さらに、最前列のプリント配線板における中央部には、操作部１１（押釦スイッチ）が実装されている。
【００３３】
本体１００の前壁において表示部１７と対向する部位には、矩形の窓孔１０１が貫通している。すなわち、表示部１７が発する赤色及び緑色の光が窓孔１０１を通して本体１００の前方に照射される。
【００３４】
また、本体１００の前壁において操作部１１と対向する部位には、Ｔ字型の操作片１０２が撓み可能に設けられている。つまり、操作片１０２が後方に向けて撓められると、最前列のプリント配線板に実装されている操作部１１（押釦スイッチ）が操作片１０２によってオンされる。
【００３５】
さらに、本体１００の前壁の左側の端には、一対の軸部１０３が上下方向に並べて設けられている。これらの軸部１０３は、前端部分が円柱状に形成されており、操作ハンドル１１０の軸受け部（図示せず）が回転可能に取り付けられる。
【００３６】
また、本体１００の左右両側の側面には、取付枠２００の嵌合孔２０１と嵌合する爪１０４が、それぞれ上下方向に間隔を空けて並ぶように設けられている。
【００３７】
操作ハンドル１１０は、図３に示すように、合成樹脂材料によって縦長の矩形板状に形成される。操作ハンドル１１０の後面における左端の中央には、前記軸受け部が設けられる。そして、軸受け部が軸部１０３に取り付けられることにより、操作ハンドル１１０は、本体１００に対して、軸部１０３を支点として揺動可能となる。つまり、操作ハンドル１１０は、前方から押操作されると、軸部１０３を支点として後方に揺動し、本体１００の操作片１０２を後方に向けて撓ませて操作部１１をオンさせる。
【００３８】
また、操作ハンドル１１０の左端の中央には、矩形の窓孔１１１が設けられている。さらに、この窓孔１１１には、透光性を有する合成樹脂材料（例えば、アクリル樹脂など）で形成されたカバー１１２が嵌め込まれている。すなわち、表示部１７が発する光は、本体１００の窓孔１０１を通過した後、操作ハンドル１１０の窓孔１１１及びカバー１１２を通して前方へ照射される。
【００３９】
次に、図５のタイムチャート並びに図１，図２を参照しながら、本実施形態のスイッチ装置１の動作を説明する。なお、図５における横軸は時間ｔ、縦軸は電圧Ｖを示している。また、図５におけるＡは、極性切替部１３の一方の出力端子１３２の出力電圧を示し、図５におけるＢは、極性切替部１３の他方の出力端子１３３の出力電圧を示している。図５におけるＣ、Ｄ、Ｅは、それぞれ３つのフォトトライアックカプラ１４Ａ、１４Ｂ、１４Ｃの入力電圧を示し、Ｆ、Ｇ、Ｈは、３つのリモコンリレー２Ａ、２Ｂ、２Ｃの信号端子間に印加される信号電圧をそれぞれ示している。
【００４０】
ここで、全てのスイッチ５がオンし、且つ全てのリモコンリレー２がオフしているとする。故に、この状態では、全ての照明負荷４が消灯している。また、スイッチ装置１において、制御部１０は、緑色ＬＥＤのみを点灯することにより、表示部１７に全ての照明負荷４が消灯していることを表示させている。
【００４１】
前記状態で操作ハンドル１１０が押操作されると、制御部１０は、操作部１１から操作信号を受け取る。操作信号を受け取った制御部１０は、極性切替部１３を制御して出力端子１３２を正極とし且つ出力端子１３３を負極とする極性に切り替える（ｔ＝ｔ０）。続いて、制御部１０は、フォトトライアックカプラ１４Ａの入力端子をローレベルとすることにより、リモコンリレー２Ａの信号端子間に、リレー巻線２１側を正とする信号電圧（２４ボルトの直流電圧）を印加する（ｔ＝ｔ１）。
【００４２】
リモコンリレー２Ａにおいては、前記信号電圧が印加されることでリレー巻線２１に励磁電流が流れるので、主接点２０がオンするとともに補助接点２２がダイオード２４側に切り替わる。リモコンリレー２Ａ（の主接点２０）がオンすれば、交流電源３からリモコンリレー２Ａを介して照明負荷４Ａに交流電力が供給されて照明負荷４Ａが点灯する。なお、リモコンリレー２Ａの補助接点２２がダイオード２４側に切り替わると、励磁電流が流れなくなるので、フォトトライアックカプラ１４Ａのフォトトライアック１４１がターンオフする。つまり、制御部１０は、リモコンリレー２Ａに対して、パルス状の信号電圧を印加する（図５Ｆ参照）。
【００４３】
リモコンリレー２Ａをオンした後、制御部１０は、フォトトライアックカプラ１４Ｂの入力端子をローレベルとすることにより、リモコンリレー２Ｂの信号端子間に、リレー巻線２１側を正とする信号電圧（２４ボルトの直流電圧）を印加する（ｔ＝ｔ２）。
【００４４】
リモコンリレー２Ｂにおいては、前記信号電圧が印加されることでリレー巻線２１に励磁電流が流れるので、主接点２０がオンするとともに補助接点２２がダイオード２４側に切り替わる。リモコンリレー２Ｂ（の主接点２０）がオンすれば、交流電源３からリモコンリレー２Ｂを介して照明負荷４Ｂに交流電力が供給されて照明負荷４Ｂが点灯する。なお、リモコンリレー２Ｂの補助接点２２がダイオード２４側に切り替わると、励磁電流が流れなくなるので、フォトトライアックカプラ１４Ｂのフォトトライアック１４１がターンオフする。つまり、制御部１０は、リモコンリレー２Ａと同様にリモコンリレー２Ｂに対しても、パルス状の信号電圧を印加する（図５Ｇ参照）。
【００４５】
リモコンリレー２Ｂをオンした後、制御部１０は、フォトトライアックカプラ１４Ｃの入力端子をローレベルとすることにより、リモコンリレー２Ｃの信号端子間に、リレー巻線２１側を正とする信号電圧（２４ボルトの直流電圧）を印加する（ｔ＝ｔ３）。
【００４６】
リモコンリレー２Ｃにおいては、前記信号電圧が印加されることでリレー巻線２１に励磁電流が流れるので、主接点２０がオンするとともに補助接点２２がダイオード２４側に切り替わる。リモコンリレー２Ｃ（の主接点２０）がオンすれば、交流電源３からリモコンリレー２Ｃを介して照明負荷４Ｃに交流電力が供給されて照明負荷４Ｃが点灯する。なお、リモコンリレー２Ｃの補助接点２２がダイオード２４側に切り替わると、励磁電流が流れなくなるので、フォトトライアックカプラ１４Ｃのフォトトライアック１４１がターンオフする。つまり、制御部１０は、リモコンリレー２Ａ、２Ｂと同様にリモコンリレー２Ｃに対しても、パルス状の信号電圧を印加する（図５Ｈ参照）。
【００４７】
さらに、制御部１０は、全てのリモコンリレー２をオンした後、極性切替部１３を制御して出力端子１３２，１３３を同電位とする（ｔ＝ｔ４）。なお、制御部１０は、赤色ＬＥＤのみを点灯することにより、表示部１７に全ての照明負荷４が点灯したことを表示させる。
【００４８】
全ての照明負荷４が点灯している状態で操作ハンドル１１０が押操作されると、制御部１０は、操作部１１から操作信号を受け取る。操作信号を受け取った制御部１０は、極性切替部１３を制御して出力端子１３３を正極とし且つ出力端子１３２を負極とする極性に切り替える（ｔ＝ｔ５）。続いて、制御部１０は、フォトトライアックカプラ１４Ａの入力端子をローレベルとすることにより、リモコンリレー２Ａの信号端子間に、リレー巻線２１側を負とする信号電圧（２４ボルトの直流電圧）を印加する（ｔ＝ｔ６）。
【００４９】
リモコンリレー２Ａにおいては、前記信号電圧が印加されることでリレー巻線２１に逆向きの励磁電流が流れるので、主接点２０がオフするとともに補助接点２２がダイオード２３側に切り替わる。リモコンリレー２Ａ（の主接点２０）がオフすれば、交流電源３から照明負荷４Ａに交流電力が供給されなくなって照明負荷４Ａが消灯する。なお、リモコンリレー２Ａの補助接点２２がダイオード２３側に切り替わると、励磁電流が流れなくなるので、フォトトライアックカプラ１４Ａのフォトトライアック１４１がターンオフする。つまり、制御部１０は、リモコンリレー２Ａに対して、パルス状の信号電圧を印加する（図５Ｆ参照）。
【００５０】
リモコンリレー２Ａをオフした後、制御部１０は、フォトトライアックカプラ１４Ｂの入力端子をローレベルとすることにより、リモコンリレー２Ｂの信号端子間に、リレー巻線２１側を負とする信号電圧（２４ボルトの直流電圧）を印加する（ｔ＝ｔ７）。
【００５１】
リモコンリレー２Ｂにおいては、前記信号電圧が印加されることでリレー巻線２１に逆向き励磁電流が流れるので、主接点２０がオフするとともに補助接点２２がダイオード２３側に切り替わる。リモコンリレー２Ｂ（の主接点２０）がオフすれば、交流電源３から照明負荷４Ｂに交流電力が供給されなくなって照明負荷４Ｂが消灯する。なお、リモコンリレー２Ｂの補助接点２２がダイオード２３側に切り替わると、励磁電流が流れなくなるので、フォトトライアックカプラ１４Ｂのフォトトライアック１４１がターンオフする。つまり、制御部１０は、リモコンリレー２Ａと同様にリモコンリレー２Ｂに対しても、パルス状の信号電圧を印加する（図５Ｇ参照）。
【００５２】
リモコンリレー２Ｂをオフした後、制御部１０は、フォトトライアックカプラ１４Ｃの入力端子をローレベルとすることにより、リモコンリレー２Ｃの信号端子間に、リレー巻線２１側を負とする信号電圧（２４ボルトの直流電圧）を印加する（ｔ＝ｔ８）。
【００５３】
リモコンリレー２Ｃにおいては、前記信号電圧が印加されることでリレー巻線２１に逆向きの励磁電流が流れるので、主接点２０がオフするとともに補助接点２２がダイオード２３側に切り替わる。リモコンリレー２Ｃ（の主接点２０）がオフすれば、交流電源３から照明負荷４Ｃに交流電力が供給されなくなって照明負荷４Ｃが消灯する。なお、リモコンリレー２Ｃの補助接点２２がダイオード２３側に切り替わると、励磁電流が流れなくなるので、フォトトライアックカプラ１４Ｃのフォトトライアック１４１がターンオフする。つまり、制御部１０は、リモコンリレー２Ａ、２Ｂと同様にリモコンリレー２Ｃに対しても、パルス状の信号電圧を印加する（図５Ｈ参照）。
【００５４】
さらに、制御部１０は、全てのリモコンリレー２をオフした後、極性切替部１３を制御して出力端子１３２，１３３を同電位とする（ｔ＝ｔ９）。なお、制御部１０は、緑色ＬＥＤのみを点灯することにより、表示部１７に全ての照明負荷４が消灯したことを表示させる。
【００５５】
ここで、各リモコンリレー２Ａ、２Ｂ、２Ｃの一方の信号端子（リレー巻線２１に接続されている信号端子）は、スイッチ装置１の共通端子（極性切替部１３の出力端子１３２）に接続される。また、各リモコンリレー２Ａ、２Ｂ、２Ｃの他方の信号端子（ダイオード２３，２４に接続されている信号端子）は、それぞれトリガ部１４の各フォトトライアックカプラ１４Ａ、１４Ｂ、１４Ｃの出力端子に接続される。
【００５６】
ところが、配線工事の際の作業ミスにより、例えば、スイッチ装置１の共通端子がトリガ部１４の何れかのフォトトライアックカプラ１４Ａ、１４Ｂ、１４Ｃの出力端子に誤結線される可能性がある。このように誤結線された状態でスイッチ装置１が動作した場合、トリガ部１４及び極性切替部１３に過大な電流が流れてしまい、スイッチ装置１が故障する可能性がある。
【００５７】
これに対して、本実施形態のスイッチ装置１における給電部１２は、出力電流が上限値を超えると、出力電流の供給を停止するように構成されている。すなわち、極性切替部１３を構成するＨブリッジドライバＩＣは、地絡電流や短絡電流などの異常電流に対するＩＣの保護を目的として、過電流保護回路１３４を内蔵している（図２参照）。そして、出力端子１３２，１３３から出力される電流が上限値を越えた場合、過電流保護回路１３４からコントローラ１３１に停止信号を出力する。コントローラ１３１は、前記停止信号を受け取ると、Ｈブリッジ回路１３０の全ての電界効果トランジスタをオフして出力電流の供給を停止する。その結果、スイッチ装置１に過大な電流が継続して流れないので、配線の間違い等によるスイッチ装置１の故障の発生を抑制することができる。なお、ＨブリッジドライバＩＣに内蔵される過電流保護回路１３４に代えて、出力電流が上限値を超えたときに出力電流の供給を停止する過電流保護回路を給電部１２に備えても構わない。
【００５８】
上述のように本実施形態のスイッチ装置１は、電源（交流電源３）から負荷（照明負荷４）への給電路を開閉するリモコンリレー２を制御するスイッチ装置である。本実施形態のスイッチ装置１は、リモコンリレー２の駆動用の電力を作成する電源部１５と、電源部１５で作成される前記電力をリモコンリレー２に供給する給電部１２と、操作入力を受け付ける操作部１１とを備える。また、本実施形態のスイッチ装置１は、操作部１１が受け付ける前記操作入力に対応して、給電部１２による前記電力の供給を制御する制御部１０を備える。給電部１２は、出力電流が所定の上限値を超えると、出力電流の供給を停止するように構成される。
【００５９】
また、本実施形態の負荷制御システムは、電源（交流電源３）から負荷（照明負荷４）への給電路を開閉するリモコンリレー２と、スイッチ装置１とを有する。
【００６０】
本実施形態のスイッチ装置１及び負荷制御システムは上述のように構成され、スイッチ装置１に過大な電流が継続して流れないので、配線の間違い等によるスイッチ装置１の故障の発生を抑制することができる。
【符号の説明】
【００６１】
１  スイッチ装置
２  リモコンリレー
３  交流電源（電源）
４  照明負荷（負荷）
１０  制御部
１１  操作部
１２  給電部
１３  極性切替部
１５  電源部
【図１】
2015230879.tif 000003
【図２】
2015230879.tif 000004
【図３】
2015230879.tif 000005
【図４】
2015230879.tif 000006
【図５】
2015230879.tif 000007
【図６】
2015230879.tif 000008